(57)【要約】【課題】翼端渦の発生を抑制しつつ、送風効率を向上させることが可能な天井扇を提供する。【解決手段】天井扇１は、回転部に固定した複数の羽根７を備え、回転部とともに羽根７が回転して送風を行う。羽根７のそれぞれの翼後縁７ｂには、固定軸３を中心とした円筒断面において、羽根７に対して所定の傾斜角を有して配置されて羽根７の出口角より大きい所定の出口角を構成する補助翼２０が設けられている。補助翼２０は、出口角が羽根７の内周側から外周側に向かうにつれて増加する第一領域と、第一領域よりも外周側において、出口角が羽根７の内周側から外周側に向かうにつれて減少する第二領域とを有して構成されている。【選択図】図２
2020159251.tif 000002
【特許請求の範囲】
【請求項１】
固定軸の一端を天井面に固定することができる取付手段と、前記固定軸を中心に回転する回転部と、前記回転部に固定した複数の羽根とを備え、前記回転部とともに前記羽根が回転して送風を行う天井扇であって、
前記羽根のそれぞれの翼後縁には、前記固定軸を中心とした円筒断面において、前記羽根に対して所定の傾斜角を有して配置されて前記羽根の出口角より大きい所定の出口角を構成する補助翼が設けられ、
前記補助翼は、前記出口角が前記羽根の内周側から外周側に向かうにつれて増加する第一領域と、前記第一領域よりも外周側において、前記出口角が前記羽根の内周側から外周側に向かうにつれて減少する第二領域とを有して構成されていることを特徴とする天井扇。
【請求項２】
前記補助翼は、前記第一領域において前記傾斜角が前記羽根の内周側から外周側に向かうにつれて増加し、前記第二領域において前記傾斜角が前記羽根の内周側から外周側に向かうにつれて減少するように構成されていることを特徴とする請求項１に記載の天井扇。
【請求項３】
前記羽根は、前記固定軸を中心とした円筒断面において、前記羽根の翼前縁の端部と前記補助翼の後縁の端部とを結んだ直線と水平面とで規定される所定の取付角を有し、
前記羽根のそれぞれは、前記第一領域において前記取付角が増加し、前記第二領域において前記取付角が減少するように構成されていることを特徴とする請求項１または２に記載の天井扇。
【請求項４】
前記補助翼は、前記羽根の外周側の翼端に隣接する位置に配置されていることを特徴とする請求項１〜３のいずれか一項に記載の天井扇。
【発明の詳細な説明】
【技術分野】
【０００１】
本発明は、主として天井面に取り付けて使用される天井扇に関するものである。
【背景技術】
【０００２】
従来、この種の天井扇は、長板状の羽根板を電動機により回転する回転体に固定するものが知られている（例えば、特許文献１参照）。
【０００３】
以下、従来の天井扇１０１について、図５、図６を参照して説明する。図５は、従来の天井扇１０１の構成概略図である。図６は、従来の天井扇１０１に用いる羽根１０８の翼端１０８ｃ近傍の断面図である。
【０００４】
図５に示すように、従来の天井扇１０１は、天井面１０２に取り付けられた取付部１０３と、取付部１０３から下方に伸びた回転軸１０４と、回転軸１０４に固定された本体１０７とを備える。本体１０７の内部には、回転軸１０４を中心に回転する電動機（図示せず）と、電動機を内包して電動機とともに回転する回転部１０６とを有する。そして、複数の羽根１０８は、回転軸１０４を中心とする周方向に所定の角度をもって回転部１０６に取り付けられている。
【先行技術文献】
【特許文献】
【０００５】
【特許文献１】特開２００８−２９７９３９号公報
【発明の概要】
【発明が解決しようとする課題】
【０００６】
従来の天井扇１０１では、図６に示すように、電動機により羽根１０８が回転すると、羽根１０８の外周から天井面１０２と羽根１０８の間を通った空気が床面に向かう送風方向１１０に送風される。この際、羽根１０８の外周側の翼端１０８ｃでは、羽根１０８の天井面１０２側の翼前縁１０８ａ側から、翼前縁１０８ａの下流に位置する翼後縁１０８ｂ側に空気が流れて高い圧力が生じる羽根１０８の正圧面１１６と、この正圧面１１６の反対側の面となる負圧面１１７との間の圧力差によって、羽根１０８の正圧面１１６側から負圧面１１７側に向かって空気が流れ込むために、羽根１０８の翼端１０８ｃにおいて翼端渦１１８が発生する。ここで、正圧面１１６は、大気圧よりも高い圧力が生じている面であり、負圧面１１７は、大気圧よりも低い圧力が生じている面である。翼端渦１１８が生じると昇圧した空気が負圧面１１７に流れるため、羽根１０８が行う仕事の送風効率が低下するという課題を有していた。
【０００７】
そこで本発明は、上記課題を解決するものであり、翼端渦の発生を抑制しつつ、送風効率を向上させることが可能な天井扇を提供することを目的とする。
【課題を解決するための手段】
【０００８】
そして、この目的を達成するために、本発明に係る天井扇は、固定軸の一端を天井面に固定することができる取付手段と、固定軸を中心に回転する回転部と、回転部に固定した複数の羽根とを備え、回転部とともに羽根が回転して送風を行う天井扇である。羽根のそれぞれの翼後縁には、固定軸を中心とした円筒断面において、羽根に対して所定の傾斜角を有して配置されて羽根の出口角より大きい所定の出口角を構成する補助翼が設けられている。そして、補助翼は、出口角が羽根の内周側から外周側に向かうにつれて増加する第一領域と、第一領域よりも外周側において、出口角が羽根の内周側から外周側に向かうに
つれて減少する第二領域とを有して構成されている。
【発明の効果】
【０００９】
本発明によれば、翼端渦の発生を抑制しつつ、送風効率を向上させることが可能な天井扇を提供することができる。
【図面の簡単な説明】
【００１０】
【図１】図１は、本発明の実施の形態１に係る天井扇を下方から見た斜視図である。
【図２】図２は、同天井扇を真上から見た上面図である。
【図３】図３は、同天井扇を真横から見た側面図である。
【図４】図４は、補助翼を有する羽根の構成を示す模式断面図である。
【図５】図５は、従来の天井扇を下方から見た斜視図である。
【図６】図６は、従来の天井扇の羽根の翼端近傍の断面図である。
【発明を実施するための形態】
【００１１】
本発明に係る天井扇は、固定軸の一端を天井面に固定することができる取付手段と、固定軸を中心に回転する回転部と、回転部に固定した複数の羽根とを備え、回転部とともに羽根が回転して送風を行う天井扇である。羽根のそれぞれの翼後縁には、固定軸を中心とした円筒断面において、羽根に対して所定の傾斜角を有して配置されて羽根の出口角より大きい所定の出口角を構成する補助翼が設けられている。そして、補助翼は、出口角が羽根の内周側から外周側に向かうにつれて増加する第一領域と、第一領域よりも外周側において、出口角が羽根の内周側から外周側に向かうにつれて減少する第二領域とを有して構成されている。
【００１２】
こうした構成によれば、補助翼（補助翼を有する羽根）が補助翼の後縁の出口角を大きくして羽根の外周側で仕事（床面側への送風）をしても、外周側に向かうにつれて補助翼の後縁の出口角が小さくなるため、羽根の正圧面と負圧面の圧力差が小さくなり、翼端（羽根の先端）における翼端渦の発生を抑制することができる。翼端渦の発生が抑制されると損失が減ることになるため、天井扇は効率的に送風することができる。つまり、翼端渦の発生を抑制しつつ、送風効率を向上させることが可能な天井扇とすることができる。
【００１３】
また、本発明に係る天井扇では、補助翼は、第一領域において傾斜角が羽根の内周側から外周側に向かうにつれて増加し、第二領域において傾斜角が羽根の内周側から外周側に向かうにつれて減少するように構成されている。このようにすることで、補助翼によって、補助翼の後縁の出口角を第一領域と第二領域を有するように容易に設定することができる。
【００１４】
また、本発明に係る天井扇では、羽根は、固定軸を中心とした円筒断面において、羽根の翼前縁の端部と補助翼の後縁の端部とを結んだ直線と水平面とで規定される所定の取付角を有し、羽根のそれぞれは、第一領域において取付角が増加し、第二領域において取付角が減少するように構成されている。このようにすることで、補助翼の後縁の出口角をより確実に第一領域と第二領域となるように構成することができる。つまり、より確実に翼端渦の発生を抑制することができる。
【００１５】
また、本発明に係る天井扇では、補助翼は、羽根の外周側の翼端に隣接する位置に配置されている。このようにすることで、補助翼（補助翼を有する羽根）が羽根の外周側で仕事（床面側への送風）をしつつ、翼端渦の発生を抑制することができる。
【００１６】
以下、本発明の実施の形態について図面を参照しながら説明する。
【００１７】
（実施の形態１）
まず、図１を参照して、本実施の形態１に係る天井扇１の概略構成について説明する。図１は、本発明の実施の形態１に係る天井扇１を下方から見た斜視図である。なお、図１では、電動機５を包括する化粧カバーは図示していない。
【００１８】
図１に示すように、本実施の形態１に係る天井扇１は、天井面２に取り付けられ、天井面２側から床面側に向かって気流を送風するように構成されている。
【００１９】
天井扇１は、固定軸３の一端を天井面２に固定することができる取付手段６と、固定軸３を中心に回転する回転部４と、回転部４を回転させる電動機５と、回転部４に固定した複数の羽根７と、を備える。また、天井扇１は、羽根７の外周側の後縁端部（後述する翼後縁７ｂ）に、羽根７に接続された補助翼２０を備える。
【００２０】
電動機５は、固定軸３の他端側に設けられ、固定軸３を中心にして電動機５の外周に配置した回転部４を回転させる。
【００２１】
回転部４には、複数の羽根７（本実施の形態１では５枚の羽根７）が回転部４の円周に沿って均等な間隔で取り付けられている。
【００２２】
複数の羽根７のそれぞれは、翼前縁７ａと、翼後縁７ｂと、翼端７ｃとを有し、羽根７の先端側（翼端７ｃ側）が根元側（回転部４側）よりも羽根７の幅が大きくなる羽根板で構成されている。また、羽根７は、固定軸３を中心とする周方向に所定の角度を有して斜めに回転部４に取り付けられている。つまり、羽根７は、半径方向に向かってひねり形状を有して回転部４に取り付けられている。ひねり形状とは、後述する取付角Ｚが半径方向で一定ではない形状のことである。この結果、翼前縁７ａは、羽根７の天井面側に位置し、翼後縁７ｂは、翼前縁７ａよりも下流側（羽根７の送風方向の下流側）に位置する状態となる。これにより、羽根７の回転時には、翼前縁７ａ側から翼後縁７ｂ側に空気が流れるようになる。なお、羽根７に補助翼２０が接続されていない場合には、羽根７の翼端７ｃでは、翼前縁７ａ側から翼後縁７ｂ側に空気が流れて高い圧力が生じる羽根７の正圧面１６（図３参照：従来の正圧面１１６に相当）と、この正圧面１６の反対側の面となる負圧面１７（図３参照：従来の負圧面１１７に相当）との間の圧力差によって、羽根７の正圧面１６側から負圧面１７側に向かって空気が流れ込み、従来の天井扇１０１と同じように、羽根７の翼端７ｃにおいて翼端渦１８（図３参照：従来の翼端渦１１８に相当）が発生しようとする。
【００２３】
また、複数の羽根７のそれぞれには、羽根７の外周側の翼後縁７ｂにおいて、羽根７とともに回転する補助翼２０が接続されている。なお、補助翼２０の詳細については後述する。
【００２４】
以上の構成により、本実施の形態１の天井扇１では、電動機５により回転部４とともに羽根７（補助翼２０が取り付けられた羽根７）が回転することで、羽根７の天井面２側から下方の床面側に気流が送風される。
【００２５】
次に、羽根７に取り付けられた補助翼２０について、図２〜図４を参照して説明する。図２は、天井扇１を上方から見た上面図である。図３は、天井扇１を真横から見た側面図である。図４は、補助翼を有する羽根の構成を示す模式断面図である。ここで、図４は、補助翼２０を有する羽根７の各位置（位置Ａ〜Ｄ）での固定軸３を中心とした円筒断面を示す。具体的には、図４の（ａ）は、図２におけるＡ−Ａ断面であり、図４の（ｂ）は、図２におけるＢ−Ｂ断面であり、図４の（ｃ）は、図２におけるＣ−Ｃ断面であり、図４の（ｄ）は、図２におけるＤ−Ｄ断面である。なお、各位置は、羽根７の内周側から外周
側に向かうにつれて、位置Ａ、位置Ｂ、位置Ｃ、位置Ｄとなっている。
【００２６】
補助翼２０は、図２に示すように、羽根７の翼後縁７ｂの外周側の位置（羽根７の翼端７ｃに隣接する位置）に配置されている。また、補助翼２０は、略台形形状を有しており、略台形の底辺（下底）側が羽根７の翼後縁７ｂに接続されている。具体的には、補助翼２０は、固定軸３を起点とした羽根７の全長（半径７５０ｍｍ）に対して、半径６００ｍｍの位置から先端（翼端７ｃ）の位置までの範囲に配置されている。また、補助翼２０は、固定軸３を中心とする円周方向で定義される羽根７の翼弦長が１４０ｍｍに対して、最大幅（略台形の高さに相当）４０ｍｍを有している。より詳細には、補助翼２０の幅は、羽根７の内周側から外周側に向かうにつれて、最大幅まで徐々に幅が広がっていき、その後最大幅から徐々に狭くなっていくように構成されている。また、補助翼２０の厚さは、羽根７の厚さと同程度となっている。
【００２７】
羽根７は、図３に示すように、固定軸３（図３では上下方向）を中心とする周方向に所定の角度を有して斜めに回転部４に取り付けられている。そして、補助翼２０は、羽根７の翼後縁７ｂに接続され、羽根７の翼後縁７ｂの位置から下方側（床面側）に延伸するように取り付けられている。つまり、補助翼２０は、羽根７に対して後述する傾斜角Ｙを有して取り付けられている。
【００２８】
次に、羽根７への補助翼２０の取り付け状態について、図４を参照して具体的に説明する。補助翼２０の説明の前に、図４の（ｃ）を用いて、羽根７と補助翼２０とで規定される出口角Ｘ（出口角ＸＣ）、傾斜角Ｙ（傾斜角ＹＣ）、及び取付角Ｚ（取付角ＺＣ）について説明する。
【００２９】
まず、図４の（ｃ）において、点Ｐ１は、羽根７の翼前縁７ａに対応する点であり、点Ｐ２は、羽根７の翼後縁７ｂに対応する点であり、点Ｐ３は、補助翼２０の後縁に対応する点である。なお、点Ｐ１、点Ｐ２、点Ｐ３は、いずれも羽根７および補助翼２０の厚さの中央部分で規定しているが、羽根７および補助翼２０の正圧面側の表面あるいは負圧面側の表面で規定してもよい。
【００３０】
また、水平面Ｌ０は、固定軸３に垂直な平面（基準面）を指し、図４の（ｃ）では、水平面Ｌ０を真横から見た断面である。そして、直線Ｌ１は、点Ｐ１と点Ｐ２とを結んだ直線であり、直線Ｌ２は、点Ｐ２と点Ｐ３とを結んだ直線であり、直線Ｌ３は、点Ｐ１と点Ｐ３とを結んだ直線である。なお、水平面Ｌ０を真横から見た状態では、水平面Ｌ０を水平線と呼んでもよい。
【００３１】
そして、水平面Ｌ０を真横から見た状態において、水平面Ｌ０に対して直線Ｌ２が交差する角度（鋭角側の角度）を出口角ＸＣと規定し、直線Ｌ１に対して直線Ｌ２とが交差する角度（鋭角側の角度）を傾斜角ＹＣと規定し、水平面Ｌ０に対して直線Ｌ３が交差する角度（鋭角側の角度）を取付角ＺＣと規定する。
【００３２】
以上のことを踏まえ、図４の（ｂ）〜（ｄ）では、羽根７への補助翼２０の取り付け状態として、出口角Ｘ（出口角ＸＢ〜出口角ＸＤ）、傾斜角Ｙ（傾斜角ＹＢ〜傾斜角ＹＤ）、及び取付角Ｚ（取付角ＺＡ〜取付角ＺＤ）がそれぞれ規定される。また、図４の（ａ）では、点Ｐ３が点Ｐ２と同一点とみなして、補助翼２０のない羽根７の状態として、取付角ＺＡおよび出口角ＸＡが規定される。
【００３３】
補助翼２０の説明に戻る。補助翼２０のない領域の羽根７は、図４の（ａ）に示すように、例えば、位置Ａにおいて出口角ＸＡを構成している。これに対して、位置Ａよりも外周側の位置Ｂにおいては、図４の（ｂ）に示すように、羽根７に対して補助翼２０は、傾
斜角ＹＢを有して取り付けられている。このため、補助翼２０は、羽根７の出口角ＸＡより角度が大きい出口角ＸＢを構成している。
【００３４】
また、位置Ｂよりも外周側の位置Ｃにおいては、図４の（ｃ）に示すように、羽根７に対して補助翼２０は、傾斜角ＹＢよりも傾斜が大きい傾斜角ＹＣを有して取り付けられている。このため、補助翼２０は、出口角ＸＢよりも角度が大きい出口角ＸＣを構成している。
【００３５】
さらに、位置Ｃよりも外周側の位置Ｄにおいては、図４の（ｄ）に示すように、羽根７に対して補助翼２０は、傾斜角ＹＣよりも傾斜が小さい傾斜角ＹＤを有して取り付けられている。このため、補助翼２０は、出口角ＸＣよりも角度が小さい出口角ＸＤを構成している。
【００３６】
そして、特に図示していないが、位置Ｄよりも外周側となる羽根７の翼端７ｃでは、図４の（ａ）の位置Ａと同じく、補助翼２０が形成されていないので、出口角ＸＤよりも角度が小さい出口角ＸＡを構成している。
【００３７】
すなわち、補助翼２０は、図４の（ｂ）から（ｃ）のように、羽根７の外周側に向かうにつれて傾斜角Ｙが増加していく第一領域と、図４の（ｃ）から（ｄ）のように、第一領域よりも外周側において、羽根７の外周側に向かうにつれて傾斜角Ｙが減少していく第二領域とを有している。言い換えると、第一領域では、羽根７の外周側に向かうにつれて出口角Ｘが増加し、第二領域では、羽根７の外周側に向かうにつれて出口角Ｘが減少する。つまり、本実施の形態の天井扇１では、羽根７の位置Ａ、位置Ｂ、位置Ｃ、位置Ｄ、及び翼端７ｃにおいてそれぞれの出口角Ｘの大小関係を比較すると、出口角Ｘは、出口角ＸＡ＜出口角ＸＢ＜出口角ＸＣ＞出口角ＸＤ＞出口角ＸＡとなっている。
【００３８】
こうした傾向は、取付角Ｚに対しても言える。つまり、本実施の形態の天井扇１では、羽根７の位置Ａ、位置Ｂ、位置Ｃ、位置Ｄ、及び翼端７ｃにおいてそれぞれの取付角Ｚの大小関係を比較すると、取付角Ｚは、取付角ＺＡ＜取付角ＺＢ＜取付角ＺＣ＞取付角ＺＤ＞取付角ＺＡとなっている。
【００３９】
本実施の形態の天井扇１では、補助翼２０がない羽根７の領域では出口角ＸＡであり、補助翼２０が存在する領域では、出口角Ｘ（出口角ＸＢ〜出口角ＸＤ）が大きくなっている分、羽根７の正圧面１６での圧力が大きくなり、下方（床面方向）への送風能力が向上している。
【００４０】
一方、補助翼２０がない羽根７において送風能力を向上させるために、例えば、羽根７全体の出口角ＸＡを、出口角ＸＣとなるように構成した場合には、羽根７の正圧面１６での圧力が大きくなり、下方（床面方向）への送風能力が向上するものの、羽根７の正圧面１６と負圧面１７との間の圧力差が大きくなり、翼端７ｃにおいて正圧面１６から負圧面１７に風が流れやすくなり、翼端渦１８が強くなってしまう。このため、羽根７が行う仕事（床面側への送風）が抑制されてしまうことになる。
【００４１】
これに対して、本実施の形態の補助翼２０は、出口角Ｘが増加する第一領域と、出口角Ｘが減少する第二領域とを有して羽根７に取り付けられている。特に第二領域において出口角Ｘが減少しているので、翼端７ｃの近傍（翼端７ｃに隣接する位置）では、羽根７の正圧面１６での圧力が小さくなり、羽根７の正圧面１６と負圧面１７との間の圧力差が小さくなっている。つまり、羽根７全体を出口角ＸＣとして構成する場合に比べて、翼端渦１８の生成が抑制されることになる。
【００４２】
以上のように、羽根７に対して補助翼２０を取り付けた場合には、羽根７の送風効率を向上させつつ、翼端渦１８の生成を抑制することができる。
【００４３】
以上、本実施の形態１に係る天井扇１によれば、以下の効果を享受することができる。
【００４４】
（１）羽根７のそれぞれの翼後縁７ｂに対して、固定軸３を中心とした円筒断面において、羽根７に対して所定の傾斜角Ｙを有して取り付けられて羽根７の出口角ＸＡより大きい所定の出口角Ｘ（出口角ＸＢ〜出口角ＸＤ）を構成する補助翼２０を設けた。そして、補助翼２０は、出口角Ｘが羽根７の内周側から外周側に向かうにつれて増加する第一領域と、第一領域よりも外周側において、出口角Ｘが羽根７の内周側から外周側に向かうにつれて減少する第二領域とを有して構成されている。こうした構成としたことで、補助翼２０（補助翼を２０有する羽根７）が補助翼２０の後縁の出口角Ｘ（出口角ＸＢ〜出口角ＸＤ）を大きくして羽根７の外周側で仕事（床面側への送風）をしても、外周側に向かうにつれて補助翼２０の後縁の出口角Ｘが小さくなるため、羽根７の正圧面１６と負圧面１７の圧力差が小さくなり、翼端７ｃにおける翼端渦１８の発生を抑制することができる。翼端渦１８の発生が抑制されると損失が減ることになるため、天井扇１は効率的に送風することができる。つまり、翼端渦１８の発生を抑制しつつ、送風効率を向上させることが可能な天井扇１とすることができる。
【００４５】
（２）補助翼２０は、第一領域において傾斜角Ｙが羽根７の内周側から外周側に向かうにつれて増加し、第二領域において傾斜角Ｙが羽根の内周側から外周側に向かうにつれて減少するように構成されている。このようにしたことで、補助翼２０によって、補助翼２０の後縁の出口角Ｘを第一領域と第二領域を有するように容易に設定することができる。
【００４６】
（３）羽根７は、固定軸３を中心とした円筒断面において、羽根７の翼前縁７ａの端部（点Ｐ１）と補助翼２０の後縁の端部（点Ｐ３）とを結んだ直線Ｌ３と水平面Ｌ０とで規定される所定の取付角Ｚを有する。そして、羽根７のそれぞれは、第一領域において取付角Ｚが増加し、第二領域において取付角Ｚが減少するように構成されている。このようにしたことで、補助翼２０の後縁の出口角Ｘをより確実に第一領域と第二領域となるように構成することができる。つまり、より確実に翼端渦１８の発生を抑制することができる。
【００４７】
（４）補助翼２０は、羽根７の外周側の翼端７ｃに隣接する位置に配置されている。このようにしたことで、補助翼２０（補助翼２０を有する羽根７）が羽根７の外周側で仕事（床面側への送風）をしつつ、翼端渦１８の発生を抑制することができる。
【００４８】
（５）上記のように、翼端渦１８の発生が抑制されることで、翼端渦１８に起因した騒音の発生も低減することができる。
【００４９】
（６）補助翼２０を羽根７の翼端７ｃに隣接する位置に設けたことで、補助翼２０を羽根７全体に設ける場合に比べて、羽根７が送風する範囲を翼端７ｃ側（羽根７の外周側）に偏らせることができる。このため、天井扇１としての送風範囲を広げることができる。
【００５０】
（７）羽根７に対する補助翼２０の傾斜角Ｙは、傾斜角Ｙが増加する第一領域と傾斜角Ｙが減少する第二領域とを有するように構成されている。このようにしたことで、羽根７に対する補助翼２０の傾斜角Ｙを一定とする場合に比べて、羽根７の正圧面１６と負圧面１７の圧力差を小さくすることができ、翼端７ｃ側で生じる翼端渦１８の生成を抑制することができる。
【００５１】
（８）補助翼２０は、羽根７の内周側から外周側に向かうにつれて、最大幅まで徐々に幅が広がっていき、その後最大幅から徐々に狭くなっていくように構成されている。この
ようにしたことで、補助翼２０の幅を一定とする場合に比べて、補助翼２０のない領域の羽根７と補助翼２０が存在する領域の羽根７との境界部分に起因した気流の乱れを抑制することができる。
【００５２】
以上、実施の形態に基づき本発明を説明したが、本発明は上記実施の形態に何ら限定されるものではなく、本発明の趣旨を逸脱しない範囲内で種々の改良変形が可能であることは容易に推察できるものである。例えば、上記実施の形態で挙げた数値は一例であり、他の数値を採用することは当然可能である。
【００５３】
本実施の形態では、羽根７に対して補助翼２０を取り付けることによって、出口角Ｘが増加する第一領域と、第一領域の外周側において、出口角Ｘが減少する第二領域とを有するように構成したが、これに限られない。例えば、第一領域と第二領域との間に、補助翼２０の後縁の出口角Ｘが一定となる第三領域を設けるようにしてもよい。こうした場合には、翼端渦１８の生成を抑制しつつ、天井扇１の下方（床面方向）への送風能力をさらに向上させることができる。
【００５４】
本実施の形態では、羽根７の翼端７ｃに隣接する位置に補助翼２０を取り付けたが、これに限られない。例えば、羽根７の翼端７ｃと補助翼２０との間に、補助翼２０のない羽根７の領域を所定の長さ設けるようにしてもよい。これにより、補助翼２０を設ける位置に関する設計自由度を向上させることができる。
【産業上の利用可能性】
【００５５】
本発明に係る天井扇は、家庭用あるいは事務用などの、天井扇風機としての活用が期待される技術として有用である。
【符号の説明】
【００５６】
１    天井扇
２    天井面
３    固定軸
４    回転部
５    電動機
６    取付手段
７    羽根
７ａ    翼前縁
７ｂ    翼後縁
７ｃ    翼端
１６    正圧面
１７    負圧面
１８    翼端渦
２０    補助翼
Ｐ１、Ｐ２、Ｐ３    点
Ｌ０    水平面
Ｌ１、Ｌ２、Ｌ３    直線
Ｘ、ＸＡ、ＸＢ、ＸＣ、ＸＤ    出口角
Ｙ、ＹＢ、ＹＣ、ＹＤ    傾斜角
Ｚ、ＺＡ、ＺＢ、ＺＣ、ＺＤ    取付角
１０１    天井扇
１０２    天井面
１０３    取付部
１０４    回転軸
１０６    回転部
１０８    羽根
１０８ａ    翼前縁
１０８ｂ    翼後縁
１０８ｃ    翼端
１１０    送風方向
１１６    正圧面
１１７    負圧面
１１８    翼端渦
【図１】
2020159251.tif 000003
【図２】
2020159251.tif 000004
【図３】
2020159251.tif 000005
【図４】
2020159251.tif 000006
【図５】
2020159251.tif 000007
【図６】
2020159251.tif 000008